(57)【要約】【課題】この種の自動車情報誌は、車種別のインデックスが文字だけの表組みであり、写真が掲載されている１コマ１コマが広告として取扱われている。このため、頁単位で広告を作成することができないので、会社のイメージ広告が出せないなどの問題がある。【解決手段】目次頁イ１と写真付き車種別索引掲載群１と販売店掲載群２から構成され、目次頁イ１には、写真付き車種別索引掲載群１の所在頁と販売店掲載群２の所在頁が掲載され、写真付き車種別索引掲載群１は、適数枚の写真付き車種別索引掲載頁１Ａから構成され、販売店掲載群２は、適数枚の販売店掲載頁２Ａから構成されている。【選択図】　　　　図２
0003099855.tif 000002
【実用新案登録請求の範囲】
【請求項１】
目次頁（イ１）と写真付き車種別索引掲載群（１）と販売店掲載群（２）から構成され、
目次頁（イ１）には、写真付き車種別索引掲載群（１）の所在頁（イ１１）と、販売店掲載群（２）の所在頁（イ１２）が掲載され、
写真付き車種別索引掲載群（１）は、適数枚の写真付き車種別索引掲載頁（１Ａ）から構成され、写真付き車種別索引掲載頁（１Ａ）には、車種名欄（１１）と、その車種のイメージ図欄（１２）と、メーカー別とその車名欄（１３）と、掲載枠本体（ロ）を設け、掲載枠本体（ロ）は、メーカー用枠（１４）とこのメーカー用枠の内容である適数個の自動車用枠（１５）を１グループとして、適数個のグループが設けられ、メーカー用枠（１４）には、メーカー名（１４Ａ）と車名（１４Ｂ）が記載され、自動車用枠（１５）には、自動車の写真欄（１５Ａ）と価格欄（１５Ｂ）と登録年欄（１５Ｃ）と諸元欄（１５Ｄ）と販売店掲載頁欄（１５Ｅ）と販売店地域欄（１５Ｆ）とディーラー扱いの表示欄（１５Ｇ）が設けられ、
販売店掲載群（２）は、適数枚の販売店掲載頁（２Ａ）から構成され、販売店掲載頁（２Ａ）は、上部枠（２１）内には販売店名欄（２１Ａ）と販売店の住所、電話番号、営業時間などの記載欄（２１Ｂ）と周辺地図欄（２１Ｃ）と販売店の特徴やコメント欄（２１Ｄ）を設け、その他の部分には複数個の枠（２２）を縦横方向に設け、その枠（２２）内には、写真付き車種別索引掲載群（１）と少なくとも同じ写真欄（２２Ａ）と価格欄（２２Ｂ）と諸元欄（２２Ｃ）と車名欄（２２Ｄ）が設けられていることを特徴とする自動車情報誌。
【考案の詳細な説明】
【０００１】
【考案の属する技術分野】
本考案は、新規な構成を有する自動車情報誌に関するものである。
【０００２】
【従来の技術】
従来、この種の自動車情報誌は、下記のようなものになっている。
車種別のインデックスが文字だけの表組みである。
写真が掲載されている１コマ１コマが広告として取扱われていて、会社（店）単位の広告掲載ではない。
【０００３】
【考案が解決しようとする課題】
従来の技術で述べたものにあっては、下記のような問題点を有していた。
会社（店）のイメージ広告が出せない。
例えば、１頁とか２頁を使用した頁単位で広告を作成することができない。
会社ごと（店ごと）のイベントなどの告知もできない。
【０００４】
本考案は、従来の技術の有するこのような問題点に鑑みなされたものであり、その目的とするところは、上述の問題を解決できるものを提供しようとするものである。
【０００５】
【課題を解決するための手段】
上記目的を達成するために、本考案のものは下記のようになるものである。
請求項１記載の考案は、目次頁イ１と写真付き車種別索引掲載群１と販売店掲載群２から構成され、
Ａ．目次頁イ１には、写真付き車種別索引掲載群１の所在頁イ１１と、販売店掲載群２の所在頁イ１２が掲載され、
Ｂ．写真付き車種別索引掲載群１は、適数枚の写真付き車種別索引掲載頁１Ａから構成され、写真付き車種別索引掲載頁１Ａには、車種名欄１１と、その車種のイメージ図欄１２と、メーカー別とその車名欄１３と、掲載枠本体ロを設け、掲載枠本体ロは、メーカー用枠１４とこのメーカー用枠の内容である適数個の自動車用枠１５を１グループとして、適数個のグループが設けられ、メーカー用枠１４には、メーカー名１４Ａと車名１４Ｂが記載され、自動車用枠１５には、自動車の写真欄１５Ａと価格欄１５Ｂと登録年欄１５Ｃと諸元欄１５Ｄと販売店掲載頁欄１５Ｅと販売店地域欄１５Ｆとディーラー扱いの表示欄１５Ｇが設けられ、
Ｃ．販売店掲載群２は、適数枚の販売店掲載頁２Ａから構成され、販売店掲載頁２Ａは、上部枠２１内には販売店名欄２１Ａと販売店の住所、電話番号、営業時間などの記載欄２１Ｂと周辺地図欄２１Ｃと販売店の特徴やコメント欄２１Ｄを設け、その他の部分には複数個の枠２２を縦横方向に設け、その枠２２内には、写真付き車種別索引掲載群１と少なくとも同じ写真欄２２Ａと価格欄２２Ｂと諸元欄２２Ｃと車名欄２２Ｄが設けられていることを特徴とするものである。
【０００６】
【考案の実施の形態】
本考案の実施の形態を図面を参照して説明する。
イは本考案の自動車情報誌で、目次頁イ１と写真付き車種別索引掲載群１と販売店掲載群２から構成されている。
【０００７】
Ａ．目次頁イ１には、写真付き車種別索引掲載群１の所在頁イ１１が、例えば「２５０」と掲載され、販売店掲載群２の所在頁イ１２が、例えば「３５０、４００、５００」と掲載されている。
図中、３は自動車関連情報の所在頁、４は地図の所在頁を示す。
【０００８】
Ｂ．写真付き車種別索引掲載群１は、適数枚の写真付き車種別索引掲載頁１Ａから構成されている。（図３、４、５参照）
ｂ１．写真付き車種別索引掲載頁１Ａは、自動車の場合の例で説明すると、車種名が「ビッグセダン」、「セダン」、「クーペ」、「ステーションワゴン」、「ミニバン・１ＢＯＸ」、「クロカン４ＷＤ・ＳＵＶ」、「コンパクト」、「軽カー」、「トラック・バス」、「国産その他」、「輸入車」と略称される各ジャンルに区別されている。
なお、図３には上述のうち「ビッグセダン」の場合のみ示されている。
従って、「セダン」、「クーペ」、「ステーションワゴン」などは、「ビッグセダン」とは別に設けられている。
【０００９】
ｂ２．以下、車種名が「ビッグセダン」の場合を例に説明する。
この写真付き車種別索引掲載頁１Ａの掲載内容は、車種名欄１１（「ビッグセダン」）と、その車種のイメージ図欄１２と、メーカー別とその車名欄１３と、掲載枠本体ロを設け、掲載枠本体ロは、メーカー用枠１４とこのメーカー用枠の内容である適数個の自動車用枠１５を１グループとして、適数個のグループが設けられている。
図４の場合は、「Ｔ社／ＣＴ車」のグループと、「Ｔ社／ＣＬ車」のグループの２グループが示されている。
そこで、メーカー用枠１４にはメーカー名１４Ａと車名１４Ｂが記載され、自動車用枠１５には、図５に示すごとく自動車の写真欄１５Ａと価格欄１５Ｂと登録年欄１５Ｃと諸元欄１５Ｄと販売店掲載頁欄１５Ｅと販売店地域欄１５Ｆとディーラー扱いの表示欄１５Ｇが設けられている。
図中、１５Ｅ１は販売店が掲載されている頁、１５Ｅ２は販売店が掲載されている写真番号である。
【００１０】
Ｃ．販売店掲載群２は、自動車の場合の例で説明すると、適数枚の販売店掲載頁２Ａから構成されている。（図６、７参照）
図６は販売店掲載群２の中にある販売店掲載頁２Ａの掲載例を示している。
そこで、販売店掲載頁２Ａは、上部枠２１内には販売店名欄２１Ａと販売店の住所、電話番号、営業時間などの記載欄２１Ｂと周辺地図欄２１Ｃと販売店の特徴やコメント欄２１Ｄを設け、その他の部分には複数個の枠２２を縦横方向に設け、その枠２２内には、写真付き車種別索引掲載群１と少なくとも同じ写真欄２２Ａと価格欄２２Ｂと諸元欄２２Ｃと車名欄２２Ｄが設けられている。
【００１１】
Ｄ．自動車以外の種類の掲載も自動車の場合と同様に構成されている。（図示略）
自動車以外の種類とは、例えば「バイク」、「ボート」、「パーツ」、「その他」の種類を指す。
Ｅ．自動車関連情報の所在頁３に記載された該当頁には、図示は省略するが、従来この種の情報誌において掲載されている各種の自動車関連情報、索引、特集、広告などが掲載されている。
【００１２】
【考案の効果】
本考案は、上述の通り構成されているので次に記載する効果を奏する。
１．読者にとって車も探しやすいし、店の雰囲気も分かる。
２．車以外のインフォメーションを知ることができる。
３．車種あるいは会社（店）単位、何れからでも車を探すことができる。
【図面の簡単な説明】
【図１】本考案の１部を切欠いた略図的分解斜視図である。
【図２】目次頁の一部を示す図である。
【図３】同上における写真付き車種別索引掲載群の中のある頁の状態を示す図である。
【図４】同上における写真付き車種別索引掲載群の中のある頁の掲載例を示す図である。
【図５】図４における自動車用枠の掲載内容を示す図である。
【図６】図１における販売店掲載群のある頁の掲載例を示す図である。
【図７】同上における掲載枠の掲載内容を示す図である。
【符号の説明】
イ　自動車情報誌
イ１　目次頁
１　写真付き車種別索引掲載群
２　販売店掲載群
【図１】
0003099855.tif 000003
【図２】
0003099855.tif 000004
【図３】
0003099855.tif 000005
【図４】
0003099855.tif 000006
【図５】
0003099855.tif 000007
【図６】
0003099855.tif 000008
【図７】
0003099855.tif 000009